(57)【要約】本発明は、セルラー無線通信ネットワークのセルにおけるランダムアクセス動作に関係する統計値を収集し、このようなランダムアクセス動作を監視するための方法および装置に関係する。セルにおいて使用する１つ以上のランダムアクセス・プリアンブル符号に関連するランダムアクセスの検出に関係した統計値をランダムアクセス・プリアンブル符号ごとに収集する（３０１）。このような収集した統計値に基づき、収集した統計値を評価し（３１１）、特定のランダムアクセス・プリアンブル符号に関連したランダムアクセスの検出がフォールス・ランダムアクセス・プリアンブルの検出により生じるような異常な動きを示すことを判定すると（３１２）、対応する運用・保守警報信号の出力および特定のランダムアクセス・プリアンブル符号のセルにおけるさらなる使用を自動的に防止することの少なくとも１つを開始することにより（３１３）、セルにおけるランダムアクセスの動作を監視することができる。
2009500900.tif 000002
【特許請求の範囲】
【請求項１】
セルラー無線通信ネットワーク（ＮＥＴ１）のセル（Ｃ１）において検出されたランダムアクセスに関係した統計値（２１１，２１２）を収集する方法であって、
前記ランダムアクセスには、前記セルにおいて使用されている複数のランダムアクセス・プリアンブル符号（７２１−７２Ｎ）から選択されたランダムアクセス・プリアンブル符号を送信することが含まれており、
前記方法は、
前記セルにおいて使用されている１つ以上のランダムアクセス・プリアンブル符号に関連付けて検出されたランダムアクセスに関係した統計値を、前記ランダムアクセス・プリアンブル符号（７２１−７２Ｎ）ごとに、収集するステップ（３０１）
を含むことを特徴とする方法。
【請求項２】
前記統計値を収集するステップ（３０１）は、
前記セルにおいて使用されている複数のランダムアクセス・プリアンブル符号について、検出されたランダムアクセスに関係した統計値を収集するステップ
を含むことを特徴とする請求項１に記載の方法。
【請求項３】
前記統計値を収集するステップ（３０１）は、
前記セルにおいて使用されているランダムアクセス・プリアンブル符号ごとに、検出されたランダムアクセスに関係した統計値を収集するステップ（３０１）
ことを特徴とする請求項１に記載の方法。
【請求項４】
前記ランダムアクセス・プリアンブル符号（７２１−７２Ｎ）のそれぞれは、
プリアンブル・スクランブル符号（７０１）と、
プリアンブルシグネチャ（７１１−７１Ｎ）と
の組み合わせによって定義されており、
少なくとも１つのプリアンブル・スクランブル符号（７０１）と、該少なくとも１つのプリアンブル・スクランブル符号（７０１）に関連付けられた複数のプリアンブルシグネチャ（７１１−７１Ｎ）とが、前記セルにおいて使用されるべく設定されていることを特徴とする請求項１ないし３のいずれか１項に記載の方法。
【請求項５】
前記統計値を収集するステップ（３０１）は、
ランダムアクセス・プリアンブル符号ごとに、少なくとも１つの検出されたランダムアクセス・プリアンブルと、前記１つ以上のランダムアクセス・プリアンブル符号に関係したランダムアクセスの失敗とを記録するステップ
を含むことを特徴とする請求項１ないし４のいずれか１項に記載の方法。
【請求項６】
セルラー無線通信ネットワーク（ＮＥＴ１）の第１ノード（ＯＭＣ１、ＲＢＳ１）において、該セルラー無線通信ネットワーク（ＮＥＴ１）のセルにおけるランダムアクセス動作を監視する方法であって、
前記ランダムアクセスには、前記セルにおいて使用されている複数のランダムアクセス・プリアンブル符号（７２１−７２Ｎ）から選択されたランダムアクセス・プリアンブル符号を送信することが含まれており、
前記方法は、
前記セルにおいて使用されている１つ以上のランダムアクセス・プリアンブル符号に関連付けて検出されたランダムアクセスに関係した統計値を評価するステップ（３１１）と、
前記評価のステップ（３１１）において、特定のランダムアクセス・プリアンブル符号に関連付けられたランダムアクセスの検出が、フォールス・ランダムアクセス・プリアンブルの検出に起因した異常動作であることを示している、と決定されると、対応した運用・保守警報信号の出力することと、前記セルにおける前記特定のランダムアクセス・プリアンブル符号のさらなる使用を自動的に防止することの少なくとも一方を開始するステップ（３１３）と
を含むことを特徴とする方法。
【請求項７】
前記統計値は、
請求項１ないし５のいずれか１項に記載された方法によって収集された統計値である
ことを特徴とする請求項６に記載の方法。
【請求項８】
前記セルラー無線通信ネットワーク（ＮＥＴ１）に設けられた他のノードからの信号に搭載された前記統計値を受信するステップ（５０１）
をさらに含むことを特徴とする請求項６または７に記載の方法。
【請求項９】
前記統計値は、前記第１ノード（ＲＢＳ１）によって収集された統計値であることを特徴とする請求項６または７に記載の方法。
【請求項１０】
前記評価のステップは、前記統計値を収集済みであるランダムアクセス・プリアンブル符号のそれぞれに対して実行されることを特徴とする請求項６ないし９のいずれか１項に記載の方法。
【請求項１１】
前記評価には、収集された前記統計値を閾値に対して評価することが含まれることを特徴とする請求項６ないし１０のいずれか１項に記載の方法。
【請求項１２】
前記閾値は、成功率を定義付けるものであり、
特定のランダムアクセス・プリアンブル符号について検出された前記ランダムアクセスは、成功率が前記閾値を下回っていることを該特定のランダムアクセス・プリアンブル符号について収集された統計値が示しているときに、異常と判定される
ことを特徴とする請求項１１に記載の方法。
【請求項１３】
前記閾値は、測定周期にしたがって検出されたランダムアクセスの回数の最大値を定義付けるものであり、
特定のランダムアクセス・プリアンブル符号について検出された前記ランダムアクセスは、検出されたランダムアクセスの回数が前記閾値を超えていることを該特定のランダムアクセス・プリアンブル符号について収集された統計値が示しているときに、異常と判定される
ことを特徴とする請求項１１に記載の方法。
【請求項１４】
セルラー無線通信ネットワーク（ＮＥＴ１）のセル（Ｃ１）において検出されたランダムアクセスに関係した統計値（２１１，２１２）を収集する、前記セルラー無線通信ネットワーク（ＮＥＴ１）に設けられた装置（ＲＢＳ１）であって、
前記ランダムアクセスには、前記セルにおいて使用されている複数のランダムアクセス・プリアンブル符号（７２１−７２Ｎ）から選択されたランダムアクセス・プリアンブル符号を送信することが含まれており、
前記装置は、
前記セルにおいて使用されている１つ以上のランダムアクセス・プリアンブル符号に関連付けて検出されたランダムアクセスに関係した統計値を、前記ランダムアクセス・プリアンブル符号（７２１−７２Ｎ）ごとに、収集するように構成されたデジタルデータ処理回路（ＣＰ１）
を含むことを特徴とする装置。
【請求項１５】
前記セルにおいて使用されている複数のランダムアクセス・プリアンブル符号について、検出されたランダムアクセスに関係した統計値が収集されることを特徴とする請求項１４に記載の装置。
【請求項１６】
前記セルにおいて使用されているランダムアクセス・プリアンブル符号ごとに、検出されたランダムアクセスに関係した統計値が収集されることを特徴とする請求項１４に記載の装置。
【請求項１７】
前記ランダムアクセス・プリアンブル符号（７２１−７２Ｎ）のそれぞれは、
プリアンブル・スクランブル符号（７０１）と、
プリアンブルシグネチャ（７１１−７１Ｎ）と
の組み合わせによって定義されており、
少なくとも１つのプリアンブル・スクランブル符号（７０１）と、該少なくとも１つのプリアンブル・スクランブル符号（７０１）に関連付けられた複数のプリアンブルシグネチャ（７１１−７１Ｎ）とが、前記セルにおいて使用されるべく設定されている
ことを特徴とする請求項１４ないし１６のいずれか１項に記載の装置。
【請求項１８】
前記デジタルデータ処理回路は、
ランダムアクセス・プリアンブル符号ごとに、少なくとも１つの検出されたランダムアクセス・プリアンブルと、前記１つ以上のランダムアクセス・プリアンブル符号に関係したランダムアクセスの失敗とを記録するように構成されている
ことを特徴とする請求項１４ないし１７のいずれか１項に記載の装置。
【請求項１９】
セルラー無線通信ネットワーク（ＮＥＴ１）のセルにおけるランダムアクセス動作を監視する、該セルラー無線通信ネットワーク（ＮＥＴ１）に設けられた装置（ＯＭＣ１、ＲＢＳ１）であって、
前記ランダムアクセスには、前記セルにおいて使用されている複数のランダムアクセス・プリアンブル符号（７２１−７２Ｎ）から選択されたランダムアクセス・プリアンブル符号を送信することが含まれており、
前記装置は、
前記セルにおいて使用されている１つ以上のランダムアクセス・プリアンブル符号に関連付けて検出されたランダムアクセスに関係した統計値を評価するように構成されているとともに、
特定のランダムアクセス・プリアンブル符号に関連付けられたランダムアクセスの検出が、フォールス・ランダムアクセス・プリアンブルの検出に起因した異常動作であることを示している、と決定されると、対応した運用・保守警報信号の出力することと、前記セルにおける前記特定のランダムアクセス・プリアンブル符号のさらなる使用を自動的に防止するように構成されたデジタルデータ処理回路（ＣＰ１）
を含むことを特徴とする装置。
【請求項２０】
前記統計値は、
請求項１ないし５のいずれか１項に記載された方法によって収集された統計値である
ことを特徴とする請求項１９に記載の装置。
【請求項２１】
前記セルラー無線通信ネットワーク（ＮＥＴ１）に設けられた他のノードからの信号に搭載された前記統計値を受信するデータ受信機（２０８）
をさらに含むことを特徴とする請求項１９または２０に記載の装置。
【請求項２２】
前記統計値を収集するための他のデジタルデータ処理回路（ＣＰＰ１）を含むことを特徴とする請求項１９または２０に記載の装置。
【請求項２３】
前記評価は、対応した統計値を利用可能なランダムアクセス・プリアンブル符号のそれぞれについて実行されることを特徴とする請求項１９ないし２２のいずれか１項に記載の装置。
【請求項２４】
前記評価には、収集された前記統計値を閾値に対して評価することが含まれることを特徴とする請求項１９ないし２３のいずれか１項に記載の装置。
【請求項２５】
前記閾値は、成功率を定義付けるものであり、
特定のランダムアクセス・プリアンブル符号について検出された前記ランダムアクセスは、成功率が前記閾値を下回っていることを該特定のランダムアクセス・プリアンブル符号について収集された統計値が示しているときに、異常と判定される
ことを特徴とする請求項２４に記載の装置。
【請求項２６】
前記閾値は、測定周期にしたがって検出されたランダムアクセスの回数の最大値を定義付けるものであり、
特定のランダムアクセス・プリアンブル符号について検出された前記ランダムアクセスは、検出されたランダムアクセスの回数が前記閾値を超えていることを該特定のランダムアクセス・プリアンブル符号について収集された統計値が示しているときに、異常と判定される
ことを特徴とする請求項２４に記載の装置。
【請求項２７】
コンピュータ可読記憶媒体に記憶され、かつ、デジタルデータ処理回路（ＣＰ１）によって実行されるコンピュータプログラムであって、
請求項１ないし１３のいずれか１項に記載された方法を前記デジタルデータ処理回路（ＣＰ１）に実行させる
ことを特徴とするコンピュータプログラム。
【請求項２８】
セルラー無線通信ネットワークであって、
請求項１４ないし１８のいずれか１項に記載された装置と、
請求項１９ないし２６のいずれか１項に記載された装置と
を含むことを特徴とするセルラー無線通信ネットワーク。
【発明の詳細な説明】
【技術分野】
【０００１】
本発明は、セルラー無線通信ネットワークにおけるランダムアクセス動作に関する。より詳細には、本発明はセルラー無線通信ネットワークにおける統計の収集およびランダムアクセス動作の監視のための方法および装置に関する。
【背景技術】
【０００２】
第３世代パートナシッププロジェクト（３ＧＰＰ）により規定された汎用移動通信システム（ＵＭＴＳ）などのセルラー無線通信システムでは、ランダムアクセス手順を実行することにより、移動局が無線チャネルリソースへの初期アクセスを得る。
【０００３】
送信電力を増加してランダムアクセス・プリアンブルを送信することにより、ＷＣＤＭＡセルラーシステム（即ち、ＦＤＤモードで動作するＵＭＴＳシステム)のセルにおいて動作する移動局（ユーザ装置とも呼ばれる）は、ランダムアクセス・チャネル（ＲＡＣＨ）においてランダムアクセスを開始する。セルにサービスを提供する基地局が有効なランダムアクセス・プリアンブルを検出すると、捕捉表示チャネル（ａｃｑｕｉｓｉｔｉｏｎ  ｉｎｄｉｃａｔｉｏｎ  ｃｈａｎｎｅｌ、ＡＩＣＨ）において移動局に捕捉表示信号を送信することにより、基地局が応答し、次いで移動局はランダムアクセス・チャネルにおいて基地局へランダムアクセス・メッセージを送信する。
【０００４】
複数のランダムアクセス・プリアンブル符号がセルにおいて使用するために作成される。ランダムアクセスを実行する場合、移動局はランダムアクセスを実行する場合に使用するために、複数のランダムアクセス・プリアンブル符号の１つを選択する。
【０００５】
セルにおけるランダムアクセス・プリアンブルの検出閾値を定義する場合、感度（セルのサービス範囲）と種々の種類の擾乱により生じるフォールス・ランダムアクセス・プリアンブルの検出に対する強度との間でトレードオフが行われる。
【０００６】
本発明の発明者は、ランダムアクセス・プリアンブル符号が異なれば、即ちランダムアクセス・プリアンブル・パターンが異なれば、ランダムアクセス・プリアンブルの誤り検出の強度も異なることを認識するにいたった。
【発明の開示】
【発明が解決しようとする課題】
【０００７】
本発明により取り扱う課題は、セルラー無線通信ネットワークにおけるランダムアクセス動作を改善するための条件を提供することである。
【課題を解決するための手段】
【０００８】
ランダムアクセス・プリアンブル符号ごとを基本として、統計を収集する方法および収集した統計を利用してセルラー無線通信ネットワークのセルにおけるランダムアクセス動作を監視するための方法により、上記課題を本質的に解決する。本発明は、また本方法を実装する装置およびソフトウエア、およびこのような装置を含む無線通信ネットワークも含む。
【０００９】
より詳細には、請求項１および請求項６に記載の方法、請求項１４および請求項１９に記載の装置、請求項２７に記載のコンピュータプログラムおよび請求項２８に記載のセルラー無線通信ネットワークを使用して課題を解決する。
【発明の効果】
【００１０】
本発明により提供される一利点は、本発明がセルにおけるランダムアクセスの実行に関する情報の増加をもたらすことであり、これはセルにおけるランダムアクセス動作を改善する基礎的な情報として役立ちうる。
【００１１】
本発明のさらに詳細な利点は、複数のランダムアクセス・プリアンブル符号のうち、セルにおいてフォールス（誤り）・ランダムアクセス・プリアンブルが頻繁に検出されているランダムアクセス・プリアンブル符号を特定することが可能となり、訂正の目安を考慮してランダムアクセス動作が改善されることである。
【００１２】
本発明の好ましい実施形態のさらなる利点は、プリアンブル検出器の感度低下を必要とすることなく、フォールス・ランダムアクセス・プリアンブルの検出の危険を削減することができることである。
【００１３】
以下では、本発明をその例示的な実施形態を参照し、また添付する図面を参照してさらに詳しく記述することにする。
【発明を実施するための最良の形態】
【００１４】
図１は、本発明を適用することができる通信システムＳＹＳ１の非限定例を示す。図１に示す例示的な通信システムＳＹＳ１は汎用移動通信システム（ＵＭＴＳ）である。通信システムＳＹＳ１は、セルラー無線通信ネットワークＮＥＴ１および移動局（ＭＳ）とも呼ばれるユーザ装置(ＵＥ)を含む。セルラー無線通信ネットワークＮＥＴ１は、コアネットワークＣＮ１およびＵＭＴＳ地上無線接続ネットワーク（ＵＴＲＡＮ）ＲＡＮ１を含む。
【００１５】
コアネットワークＣＮ１は、回線交換サービスを提供する移動サービス交換センタ（ＭＳＣ）ノードＭＳＣ１およびパケット交換タイプのサービスを提供するように構成された、在圏ＧＰＲＳサポートノード（ＳＧＳＮ）とも呼ばれる汎用パケット無線サービス（ＧＰＲＳ）ノードＳＧＳＮ１を含む。
【００１６】
コアネットワークノードＭＳＣ１およびＳＧＳＮ１のそれぞれは、Ｉｕインタフェースと呼ぶ無線接続ネットワークインタフェースを経て無線接続ネットワークＲＡＮ１に接続する。無線接続ネットワークＲＡＮ１は、１つ以上の無線ネットワーク制御装置（ＲＮＣ）を含む。簡単さのため、図１の無線接続ネットワークＲＡＮ１を、１つの無線ネットワーク制御装置・ノードＲＮＣ１のみにより図示する。各無線ネットワーク制御装置は複数の無線基地局（ＲＢＳ）に接続し、複数の無線基地局を制御する。例えば再度簡単さのため、図１は無線ネットワーク制御装置・ノードＲＮＣ１に接続する第１の無線基地局ノードＲＢＳ１および第２の無線基地局ノードＲＢＳ２のみを示す。無線ネットワーク制御装置ＲＮＣ１と基地局ＲＢＳ１、ＲＢＳ２との間にあるインタフェースをＩｕｂインタフェースと呼ぶ。
【００１７】
図１に示す移動局ＭＳ１などの移動局は、Ｕｕインタフェースと呼ぶ無線または空中線インタフェースを経て１つ以上の無線基地局ＲＢＳ１およびＲＢＳ２と通信する。
【００１８】
無線接続ネットワークＲＡＮ１の構成、動作および誤り管理などの、運用・保守業務のために運用・保守センタ（ＯＭＣ）ノードＯＭＣ１を無線接続ネットワークに含む。運用・保守センタノードＯＭＣ１は、Ｍｕｂと呼ばれるインタフェースを介して無線基地局ＲＢＳ１およびＲＢＳ２と相互動作し、一方、無線ネットワーク制御装置・ノードＲＮＣ１との相互動作はＭｕｒと呼ばれるインタフェースを介して生じる。
【００１９】
無線インタフェースＵｕ、Ｉｕインタフェース、Ｉｕｂインタフェース、ＭｕｂインタフェースおよびＭｕｒインタフェースのそれぞれを図１で破線により示す。
【００２０】
移動局ＭＳ１などの移動局が、第１の無線基地局ＲＢＳ１によりサービスの提供を受けるセルＣ１などのセルにおいてランダムアクセスを開始する場合、移動局ＭＳ１はランダムアクセス・チャネル（ＲＡＣＨ）において送信電力を増加させてランダムアクセス・プリアンブルＳ１０１を送信する。セルＣ１にサービスを提供する無線基地局ＲＢＳ１が誤りのない有効なランダムアクセス・プリアンブルを検出すると、基地局は肯定捕捉表示信号Ｓ１０２を捕捉表示チャネル（ＡＩＣＨ）において移動局ＭＳ１に送信することにより応答し、次いで移動局ＭＳ１はランダムアクセス・チャネルにおいてそのランダムアクセス・メッセージＳ１０３を無線基地局ＢＳ１に送信する。
【００２１】
セルＣ１において使用するために、複数のランダムアクセス・プリアンブル符号が生成される。各ランダムアクセス・プリアンブル符号は、プリアンブル・スクランブル符号およびプリアンブルシグネチャにより定義される。典型的には１つ(時に複数）のプリアンブル・スクランブル符号および複数の関連するプリアンブルシグネチャをセルＣ１において使用するために生成する。図７は、プリアンブル・スクランブル符号７０１および当該プリアンブル・スクランブル符号７０１に関連したＮ個のプリアンブルシグネチャ７１１乃至７１Ｎにより、Ｎ個のランダムアクセス・プリアンブル符号７２１乃至７２Ｎのセット（集合）を定義する方法を概略的に示す。
【００２２】
セルＣ１のダウンリンク報知チャネル（ＢＣＨ）において送信されたシステム情報信号により、セルＣ１において動作する移動局に利用可能なプリアンブル・スクランブル符号および関連する複数のプリアンブルシグネチャを通知する。移動局ＭＳ１などの移動局がランダムアクセスを開始する場合、移動局はランダムアクセス・プリアンブル・スクランブル符号とプリアンブルシグネチャとの特定の組み合わせを選択し、その後、移動局はランダムアクセスを実行する場合に使用する複数あるランダムアクセス・プリアンブル符号の１つを選択する。単一のプリアンブル・スクランブル符号が利用可能なセルでは、プリアンブルシグネチャをランダムに選択する移動局によりランダムアクセス・プリアンブル符号の選択を行い、プリアンブルシグネチャはセルにおいて利用可能な単一のプリアンブル・スクランブル符号と共に選択されるランダムアクセス・プリアンブル符号を定義する。
【００２３】
図２は、本発明を考察する場合に特に関係する無線ネットワーク制御装置ＲＮＣ１、無線基地局ＲＢＳ１ならびに運用・保守センタＯＭＣ１の機能ブロックを示す概要ブロック図である。
【００２４】
無線基地局ＲＢＳ１は送信機機能ブロック２０１および受信機機能ブロック２０２を含む。
【００２５】
受信機機能ブロック２０２は、サブブロックとして、ランダムアクセス・プリアンブルを検出するためのプリアンブル検出器２０３およびランダムアクセス・メッセージを復調および復号化するためのランダムアクセス受信機２０４を含む。
【００２６】
送信機機能ブロック２０１は、捕捉表示情報信号を送信するための捕捉表示情報チャネル（ＡＩＣＨ）サブロック２０５およびセルにおけるシステム情報を送信するための一斉報知制御チャネル（ＢＣＨ）サブブロック２０６を含む。
【００２７】
プリアンブル検出器２０３は、セルＣ１において動作する移動局が送信する可能なランダムアクセス・プリアンブルを検出することを連続して試みるように構成されている。次いでプリアンブル検出器２０３は、セルＣ１において使用するために生成された種々のランダムアクセス・プリアンブル符号と受信入力信号とを相関演算する。ランダムアクセス・プリアンブル符号の１つに対して検出すされた電力がセルＣ１に対して定義されたランダムアクセス・プリアンブルの検出閾値を超えていれば、ランダムアクセス・プリアンブルの検出が発生する。一旦、ランダムアクセス・プリアンブルが検出されると、ＡＩＣＨサブブロック２０５が起動し、ランダムアクセス・プリアンブルの補足に成功したことを示す肯定捕捉表示情報信号を送信する。ランダムアクセス受信機２０４に、また検出したランダムアクセス・プリアンブルに続くランダムアクセス・メッセージを復調して復号するためのリソースを提供するように要求する。
【００２８】
送信された捕捉表示情報信号Ｓ１０２に対応したランダムアクセス・プリアンブル符号を使用してセルＣ１においてランダムアクセスを現在実行中の移動局、例えば移動局ＭＳ１が捕捉表示情報信号Ｓ１０２を受信すると、移動局ＭＳ１はランダムアクセス・メッセージＳ１０３を送信する。無線基地局ＲＢＳ１が当該メッセージＳ１０３を受信すると、これをランダムアクセス受信機２０４が復調して復号する。復号が成功するか否かに関わらず、３ＧＰＰ  ＴＳ２５．４３５で規定されているＲＡＣＨフレームプロトコルを使用して無線基地局ＲＢＳ１から無線ネットワーク制御装置ノードＲＮＣ１へ、ランダムアクセス・メッセージを復号化するための試行結果を転送する。
【００２９】
セルＣ１において使用するためのランダムアクセス・プリアンブルの検出閾値を定義する場合、感度（セルのサービス範囲）と、種々の種類の擾乱により生じるフォールス・ランダムアクセス・プリアンブルの検出に対する強度と、の間でトレードオフが実行される。
【００３０】
本発明の発明者は、ランダムアクセス・プリアンブル符号、即ちランダムアクセス・プリアンブル・パターンが異なれば、それぞれの擾乱に対する強度も異なることを発見した。このような擾乱の一例は、無線基地局ＲＢＳ１におけるプリアンブル検出器２０３へのベースバンド信号入力部におけるＤＣオフセットの存在であろう。このようなＤＣオフセットは例えば以下の結果となりえよう・
１．例えば、セルＣ１のアップリンク上での高いトラフィック負荷によって、双方の受信機ブランチにおいて強い相関信号が生じる。セルＣ１は室内セルである。無線基地局ＲＢＳ１は相互接続された複数のアンテナブランチまたは基地局アンテナから見通し内に配置された中継機（リピータ）を有する。
２．移動局における大きなＤＣオフセット（搬送波の漏洩）。
３．無線基地局ＲＢＳ１におけるハードウエアのエラー。
【００３１】
このような擾乱の影響はフォールス・プリアンブル検出率の大きさに依存する。影響は皆無からセルでのアクセス不能まで存在する。その間で擾乱は、大きな遅延、呼設定障害、アクセス性の不良、長いチャネル交換時間およびＲＡＣＨ受信機の過負荷を生じさせることがある。
【００３２】
本発明は以上に詳述した事態を取り上げる。
【００３３】
図３Ａは、セルラー無線通信ネットワークのセルにおいて検出されるランダムアクセスに関係した統計を収集することに関する本発明による基本的な方法を示したフローチャートである。ランダムアクセスは、セルにおいて使用される複数のランダムアクセス・プリアンブル符号の中から選択されたランダムアクセス・プリアンブル符号の送信を含む。
【００３４】
ステップ３０１で、セルにおいて使用された１つ以上のランダムアクセス・プリアンブル符号に関連したランダムアクセスの検出に関係する統計値を各ランダムアクセス・プリアンブル符号ごとに収集する。
【００３５】
図３Ｂは、セルラー無線通信ネットワークのセルにおけるランダムアクセス動作を監視するための本発明による基本的な方法を示しフローチャートである。ランダムアクセスは、セルにおいて使用するために生成された複数のランダムアクセス・プリアンブル符号の中から選択されたランダムアクセス・プリアンブル符号の送信を含む。
【００３６】
ステップ３１１で、セルにおいて使用される１つ以上のランダムアクセス・プリアンブル符号に関連したランダムアクセスの検出に関係した統計を評価する。
【００３７】
特定のランダムアクセス・プリアンブル符号に関連したランダムアクセスの検出がフォールス・ランダムアクセス・プリアンブルの検出により生じるような異常な動きを示すことが、評価ステップ３１１において認識されると（ステップ３１２でＹｅｓ）、対応する運用・保守警報信号の送出すること、および、特定のランダムアクセス・プリアンブル符号のセルにおけるさらなる使用を自動的に防止することの少なくとも１つをステップ３１３において開始する。
【００３８】
図４Ａおよび図４Ｂは、図１のセルＣ１におけるランダムアクセスに関する統計値を収集するための本発明の例示的な第１の実施形態を実装するための無線基地局ＲＢＳ１における処理を示すフローチャートである。図４Ａおよび図４Ｂの処理を、図２の実行管理（ＰＭ）機能ブロックにより実行する。
【００３９】
この実施形態によれば、２つのカウンタは、セルＣ１において使用するために生成された各ランダムアクセス・プリアンブル符号に関連付けられている。成功カウンタ２１１を使用して、ランダムアクセス・プリアンブル符号を使用するランダムアクセス・プリアンブルが検出されたことに続いてランダムアクセス・メッセージ部の復号化に成功したという事象のすべてをカウント（計数）する。失敗カウンタ２１２を使用して、ランダムアクセス・プリアンブル符号を使用するランダムアクセス・プリアンブルが検出されたことに続いてランダムアクセス・メッセージ部の復号化に失敗したという事象のすべてを計数する。
【００４０】
図４Ａのステップ４０１において、セルＣ１において使用される各ランダムアクセス・プリアンブル符号のためのカウンタのペア２１１および２１２を再設定することにより、測定期間を開始する。
【００４１】
ランダムアクセスを検出すると、ランダムアクセスを検出したランダムアクセス・プリアンブル符号に関連するカウンタ２１１および２１２を図４Ｂに従い更新する。ランダムアクセス・プリアンブルの検出が生じると、ＲＡＣＨ受信機２０４による関連するランダムアクセス・メッセージ部の復号結果（成功または失敗）を実行管理ブロック２０７に通知する。
【００４２】
図４Ｂのステップ４１１において、ランダムアクセス・メッセージ部の復号化の成功が生じたか否かをチェックする。復号に成功したのであれば（ステップ４１１でＹｅｓ）、ランダムアクセス・プリアンブルを検出したランダムアクセス・プリアンブル符号に関連する成功カウンタ２１１を１だけ増分する。そうでない場合（ステップ４１１でＮｏ）、ランダムアクセス・プリアンブル符号に関連した対応する失敗カウンタ２１２を１だけ増分する。
【００４３】
測定期間が満了していなければ（ステップ４０３でＮｏ）、測定期間中に生じた各ランダムアクセスの検出について、ステップ４０２の処理を繰り返し実行する。測定期間が満了したのであれば（ステップ４０３でＹｅｓ）、収集した統計値、即ちセルＣ１において使用されたランダムアクセス・プリアンブル符号のそれぞれに関連した成功カウンタ２１１および失敗カウンタ２１２の各カウント値を、ｆｔｐ（ファイル転送プロトコル）を使用して運用・保守センタＯＭＣ１に伝送する。新規の測定期間を自動的に開始し、それにより処理をステップ４０１において継続する。
【００４４】
図５は、図１のセルＣ１におけるランダムアクセス動作を監視するための本発明に係る例示的な第１の実施形態を実装するための無線基地局における処理を示すフローチャートである。図５のステップを、運用・保守センタＯＭＣ１のデータ受信ブロック２０８および分析ブロック２０９により実行する（図２参照)。
【００４５】
ステップ５０１で、Ｍｕｂインタフェースを経て無線基地局ＲＢＳ１から転送（ファイル転送)されてきた信号Ｓ２０１から、ランダムアクセスの検出回数の統計値をデータ受信ブロック２０８により受信する。
【００４６】
ステップ５０２で、ステップ５０１においてランダムアクセスの検出回数の統計値が受信された各ランダムアクセス・プリアンブル符号に対する成功カウンタ２１１および失敗カウンタ２１２のカウント値の総和により成功カウンタ２１１の値を除算することにより、分析ブロック２０９はランダムアクセスの成功率を決定する。
【００４７】
ステップ５０３で分析ブロック２０９は、例えば、ステップ５０２で決定した成功率のそれぞれを閾値と比較する。この閾値は、例えば、ステップ５０２で決定された成功率のうちの最大値の５０％とに設定することができる。ランダムアクセス・プリアンブル符号に関連した成功率が閾値を下回るのであれば、このランダムアクセス・プリアンブル符号に関連したランダムアクセスの検出は、フォールス・ランダムアクセスの検出により生じるような異常な動きを示すものと考えられる。
【００４８】
ステップ５０４で、閾値を下回った成功率に関連したランダムアクセス・プリアンブル符号については、セルＣ１において今後使用できないように自動的に防止することを、分析ブロック２０９により開始する。ＵＭＴＳシステムではランダムアクセス・プリアンブル符号をプリアンブル・スクランブル符号とプリアンブルシグネチャとの組み合わせにより定義するので、特定のランダムアクセス・プリアンブル符号の防止はプリアンブル・スクランブル符号とプリアンブルシグネチャとの対応する組み合わせの防止を含む。この実施形態によれば、特定のプリアンブル・スクランブル符号と組み合わされる特定のプリアンブルシグネチャのさらなる使用を防止することにより、特定のランダムアクセス・プリアンブル符号の防止を行う。なおセルにおいて使用するために生成された単一のプリアンブル・スクランブル符号のみが存在しうることが多い。
【００４９】
従って、ステップ５０３で、閾値を下回る判定された成功率に関連した特定のランダムアクセス・プリアンブル符号に対して、セルＣ１の再設定をステップ５０４で開始し、セルＣ１において対応するプリアンブル・スクランブル符号と組み合わされた対応するプリアンブルシグネチャをさらに使用することを防止する。このようにして分析ブロックは、運用・保守センタＯＭＣ１から無線ネットワーク制御装置ＲＮＣ１へＭｕｒインタフェースを経て再設定命令信号Ｓ２０２の送信を実行する。
【００５０】
無線ネットワーク制御装置ＲＮＣ１が再設定命令信号Ｓ２０２を受信すると、設定（コンフィギュレーション）管理ブロック２１０はセルＣ１を表す管理オブジェクト２１３に対する属性を変更する。これによって、セルＣ１におけるさらなる使用を防止されたランダムアクセス・プリアンブル符号は、セルＣ１における使用に対し最早有効ではなくなる。無線ネットワーク制御装置ＲＮＣ１は、３ＧＰＰ  ＴＳ２５．４３３に規定されたシステム情報更新要求信号Ｓ２０３および３ＧＰＰ  ＴＳ２５．４３３に規定された共用トランスポートチャネル再設定要求信号Ｓ２０４により、Ｉｕｂインタフェースを経て無線基地局ＲＢＳ１にセルＣ１の変更後の構成を通知する。
【００５１】
無線基地局ＲＢＳ１におけるシステム情報更新要求信号Ｓ２０３の受信に応答して、ＢＣＨサブブロック２０６は、セルＣ１の報知制御チャネルにおいて送信されたシステム情報メッセージＳ２０５を修正し、防止されたランダムアクセス・プリアンブル符号に対応するランダムアクセス・プリアンブル・スクランブル符号とプリアンブルシグネチャの組み合わせがセルＣ１に対して最早有効ではないことを反映させる。
【００５２】
無線基地局ＲＢＳ１における共用トランスポートチャネル再設定要求信号Ｓ２０４の受信に応答して、プリアンブル検出器２０３は、防止されたランダムアクセス・プリアンブル符号を使用するランダムアクセス・プリアンブルの検出を停止する。
【００５３】
本発明の第１の例示的な実施形態によれば、図２の実行管理機能ブロック２０５を実装するために、無線基地局ＲＢＳ１が備える１つ以上の制御プロセッサＣＰ１がプログラムされる。これにより、図４Ａおよび図４Ｂに示す方法に関連した処理が実行される。従って、無線基地局ＲＢＳ１は図４Ａおよび図４Ｂの方法を実行するための装置であり、制御プロセッサＣＰ１の機能は種々の方法のステップを実行するための手段であると理解されてもよい。同様に、データ受信ブロック２０８および分析機能ブロック２０９を実装するために、運用・保守センタＯＭＣ１における１つ以上の制御プロセッサＣＰ１が、図５に示す処理を実行するようにプログラムされてもよい。従って、運用・保守センタＯＭＣ１は、図５の方法を実行する装置であり、制御プロセッサＣＰ１の機能は種々の方法のステップを実行するための手段であると理解されてもよい。
【００５４】
以上に開示した本発明の例示的な第１の実施形態とは別に、本発明の追加的な実施形態となる、第１の実施形態を再配置、修正および置換した幾つかの方法が存在する。
【００５５】
種々のランダムアクセス・プリアンブル符号に関連したランダムアクセスの検出に関する統計値を収集する方法に対して幾つかの代替法が存在する。統計値の収集は、検出されたランダムアクセス・プリアンブルおよび１つ以上のランダムアクセス・プリアンブル符号に関連したランダムアクセスの失敗の少なくとも一方を、ランダムアクセス・プリアンブル符号ごとに、記録（登録）することを含む。従って統計値の収集対象となる１つ以上のランダムアクセス・プリアンブル符号のそれぞれに、１つ以上のカウンタが関連付けて設けられてもよい。例えば、１つのランダムアクセス・プリアンブル符号あたり、１つの成功カウンタと１つの失敗カウンタとが設けられてもよいし、ランダムアクセス・プリアンブル符号に関連したランダムアクセス・プリアンブルが検出されたことに続いてランダムアクセス・メッセージの復号化が失敗した場合の数を計数する失敗カウンタのみが設けられてもよいし、ランダムアクセス・プリアンブル符号に関連したランダムアクセス・プリアンブルの検出数を計数するカウンタのみが設けられてもよいし、成功カウンタおよびランダムアクセス・プリアンブル符号に関連したランダムアクセス・プリアンブルの検出数を計数するカウンタが設けられてもよい。カウンタ変数（カウント値）を増分する代わりに、例えば１つのランダムアクセス・プリアンブル符号あたりに成功率変数を絶えず更新する、あるいは測定期間の終了時に成功率の値を生成し、統計収集ステップからの出力としてそのような成功率の値を提供するようにしてもよい。
【００５６】
セルにおいて使用される各ランダムアクセス・プリアンブル符号に対して、統計値を収集することが好ましい。一方、セルにおいて使用される１つ以上のランダムアクセス・プリアンブル符号のサブセット（補集合）に対して統計値を収集するようにすれば、セルにおけるランダムアクセス動作の性能に関する情報を増やすことができるであろう。過去の経験またはシミュレーションの結果に基づき、１つ以上のランダムアクセス・プリアンブル符号のサブセットが、特にセルにおいて使用される他のランダムアクセス・プリアンブル符号よりも、ある擾乱に対する強度において劣ると考えられれば（例えば過去の経験またはシミュレーションの結果に基づき）、このようなランダムアクセス・プリアンブル符号のサブセットのみに対して統計値の収集を実行してもよい。
【００５７】
単一のプリアンブル・スクランブル符号を使用するＵＭＴＳネットワークのセルでは、ランダムアクセス・プリアンブル符号あたりの統計値の収集をプリアンブルシグネチャあたりの統計値を収集することにより達成することができる。
【００５８】
特定のランダムアクセス・プリアンブル符号に関連したランダムアクセスの検出がフォールス・ランダムアクセスの検出により生じるような異常な動きを示すかを判定するために収集された統計値を評価する際に、複数の異なる基準を使用してもよい。典型的にこのような基準を１つ以上の閾値として表すのであれば、この評価は、収集された統計値を閾値に基づいて評価することを含むであろう。閾値の例は、例えば、最低の成功率、ランダムアクセス検出の最大数、または、測定期間もしくは単位時間あたりのランダムアクセス・メッセージの復号化試行失敗数の最大値であってもよい。閾値は、固定値であってもよいし、現在の測定期間の間に収集された統計値に関係して定義されてもよいし、現在のシステム負荷および干渉状況に応じて適合されてもよい。ランダムアクセスの動きを異常と考えるためには、使用される基準は、例えば、現在のランダムアクセス検出負荷が１０回の検出／秒を超え、かつ、失敗率が５０％を超えることを必要とする、複合的な基準であってもよい。
【００５９】
異常な動きを示すランダムアクセス・プリアンブル符号の自動防止を開始する代わりに、対応する運用・保守警報信号の出力を開始することで、この事態を担当する運用・保守要員に警報を送出してもよい。さらに別の代替手段は、ランダムアクセス・プリアンブル符号の自動防止と、運用・保守警報信号の出力との双方を開始することであろう。
【００６０】
異常なランダムアクセスの動きの検出に応答して自動的に防止することができるセルにおけるランダムアクセス・プリアンブル符号の最大数に対して、リミット（限界）を規定してもよい。このような限界を使用する実施形態によれば、最悪のランダムアクセスの動きに関連したこれらランダムアクセス・プリアンブル符号の自動的防止を、自動防止の対象となりうるランダムアクセス・プリアンブル符号の数が予め規定された最大数となるまでに、開始することが好ましい。
【００６１】
以上に開示した本発明の例示的な第１の実施形態によれば、運用・保守センタＯＭＣ１は無線基地局ＲＢＳ１により収集した統計値を定期的に抽出し（例えば１５分毎に）、評価する。従って、最悪の場合のシナリオでは、高率のフォールス・ランダムアクセス・プリアンブルの検出を生じる擾乱が発生した瞬間から、運用・保守センタＯＭＣ１の自動的防止の開始および／または運用・保守警報信号が送出されるまでに、１５分以下の遅延が存在しうる。この遅延を削減するために種々のランダムアクセス・プリアンブル符号に関連したランダムアクセスの実行を、無線基地局ＲＢＳ１が監視してもよい。例示的な実施形態によれば、極度に多い負荷状況を検出して（例：ランダムアクセス・メッセージの復号化を実行するためのリソースの欠如など）、種々のランダムアクセス・プリアンブル符号に関連して収集された統計値の評価をランダムアクセス受信機サブブロック２０４に開始させることにより、このような監視を実装することができよう。成功カウンタおよび失敗カウンタにより現在の測定期間においてこれまで収集してきた統計値に基づき、１つ以上のランダムアクセス・プリアンブル符号の第１のサブセットがランダムアクセスに失敗するような極度に高いパーセント（例えば９０％を超える）を示したものの、一方で他のランダムアクセス・プリアンブル符号がかなり低いランダムアクセスの失敗を示せば、プリアンブル検出器２０３が、現在の測定期間の残り期間に対してランダムアクセス・プリアンブル符号の前記サブセットに対するさらなるランダムアクセス・プリアンブルの検出を直ちに防止することで、リソースの欠如に起因して、フォールス・ランダムアクセス・プリアンブルの検出が正しいランダムアクセスの検出を妨げる事態を回避することができる。好ましくは、ランダムアクセス・プリアンブル符号の前記サブセットを使用するさらなるランダムアクセス・プリアンブルの検出を自動的に防止する代わりに、無線基地局ＲＢＳ１は、運用・保守センタＯＭＣ１に運用・保守警報信号を送信し、この事態を担当する運用・保守要員に警報を出力してもよい。
【００６２】
無線基地局ＲＢＳ１がランダムアクセス・プリアンブル符号ごとに統計値を収集する代わりとして、このような統計値を無線ネットワーク制御装置ＲＮＣ１が収集してもよい。一方、これは特定の場合におけるランダムアクセスの検出に関連したランダムアクセス・プリアンブル符号を反映した情報を含むように、３ＧＰＰ  ＴＳ２５．４３３に規定されたＲＡＣＨフレームプロトコルを修正する必要があろう。
【００６３】
以上に開示した本発明の第１の例示的な実施形態によれば、１つ以上の従来のプログラム可能なプロセッサの形式をしたデジタルデータ処理回路を使用して、本方法の種々の処理ステップを実行する。一方、このような処理を実行することができるあらゆるデジタルデータ処理回路、例えばＡＳＩＣ、個別論理回路、などを使用してもよい。本発明の第１の例示的な実施形態によれば、プログラム可能なデバイスを使用する本発明に係る他の実施形態のように、ＲＡＭ、ハードドライブ装置、読み取り専用電子メモリ、光記憶デバイス(例えば、図６に概略的に示すようなＣＤ‐ＲＯＭ）、などのある種のコンピュータ可読媒体に格納された機械による可読命令として、コンピュータを制御するプログラム(ソフトウエア)を実現してもよい。本発明による処理を実行するプログラム可能なデバイスは、このタスク専用であってもよいし、他のタスクに関係する処理にも使用できてもよい。
【００６４】
第１の例示的な実施形態においては、本発明をＵＭＴＳセルラー無線通信ネットワークに適用したが、本発明は勿論その他のセルラー無線通信ネットワークにも適用することができる。ランダムアクセスは、セルにおいて利用可能な複数のそのような符号から選択されたランダムアクセス・プリアンブル符号の伝送を含む。
【図面の簡単な説明】
【００６５】
【図１】本発明を有利に使用することができる移動通信システムの例の概観図である。
【図２】図１における通信システムの幾つかのノードにおける機能ブロックの概要ブロック図である。
【図３Ａ】本発明による統計を収集するための基本的方法を示すフローチャートである。
【図３Ｂ】ランダムアクセス動作を監視するための本発明による基本的方法を示すフローチャートである。
【図４Ａ】および
【図４Ｂ】統計を収集するための本発明の第１の例示的実施形態を実装するための処理を示すフローチャートである。
【図５】ランダムアクセス動作を監視するための本発明の第１の例示的実施形態を実装するための処理を示すフローチャートである。
【図６】コンピュータの可読媒体の例を示す図である。
【図７】プリアンブル・スクランブル符号および複数のプリアンブルシグネチャからランダムアクセス・プリアンブル符号セットの生成を示す概要ブロック図である。
【図１】
2009500900.tif 000003
【図２】
2009500900.tif 000004
【図３Ａ】
2009500900.tif 000005
【図３Ｂ】
2009500900.tif 000006
【図４Ａ】
2009500900.tif 000007
【図４Ｂ】
2009500900.tif 000008
【図５】
2009500900.tif 000009
【図６】
2009500900.tif 000010
【図７】
2009500900.tif 000011
【手続補正書】
【提出日】平成20年5月29日(2008.5.29)
【手続補正１】
【補正対象書類名】特許請求の範囲
【補正対象項目名】全文
【補正方法】変更
【補正の内容】
【特許請求の範囲】
【請求項１】
セルラー無線通信ネットワーク（ＮＥＴ１）のセル（Ｃ１）において検出されたランダムアクセスに関係した統計値（２１１，２１２）を収集する方法であって、
前記ランダムアクセスには、前記セルにおいて使用されている複数のランダムアクセス・プリアンブル符号（７２１−７２Ｎ）から選択されたランダムアクセス・プリアンブル符号を送信することが含まれており、
前記方法は、
前記セルにおいて使用されている１つ以上のランダムアクセス・プリアンブル符号に関連付けて検出されたランダムアクセスに関係した統計値を、前記ランダムアクセス・プリアンブル符号（７２１−７２Ｎ）ごとに、収集するステップ（３０１）
を含むことを特徴とする方法。
【請求項２】
前記統計値を収集するステップ（３０１）は、
前記セルにおいて使用されている複数のランダムアクセス・プリアンブル符号について、検出されたランダムアクセスに関係した統計値を収集するステップ
を含むことを特徴とする請求項１に記載の方法。
【請求項３】
前記統計値を収集するステップ（３０１）は、
前記セルにおいて使用されているランダムアクセス・プリアンブル符号ごとに、検出されたランダムアクセスに関係した統計値を収集するステップ（３０１）
ことを特徴とする請求項１に記載の方法。
【請求項４】
前記ランダムアクセス・プリアンブル符号（７２１−７２Ｎ）のそれぞれは、
プリアンブル・スクランブル符号（７０１）と、
プリアンブルシグネチャ（７１１−７１Ｎ）と
の組み合わせによって定義されており、
少なくとも１つのプリアンブル・スクランブル符号（７０１）と、該少なくとも１つのプリアンブル・スクランブル符号（７０１）に関連付けられた複数のプリアンブルシグネチャ（７１１−７１Ｎ）とが、前記セルにおいて使用されるべく設定されていることを特徴とする請求項１ないし３のいずれか１項に記載の方法。
【請求項５】
前記統計値を収集するステップ（３０１）は、
ランダムアクセス・プリアンブル符号ごとに、少なくとも１つの検出されたランダムアクセス・プリアンブルと、前記１つ以上のランダムアクセス・プリアンブル符号に関係したランダムアクセスの失敗とを記録するステップ
を含むことを特徴とする請求項１ないし４のいずれか１項に記載の方法。
【請求項６】
セルラー無線通信ネットワーク（ＮＥＴ１）の第１ノード（ＯＭＣ１、ＲＢＳ１）において、該セルラー無線通信ネットワーク（ＮＥＴ１）のセルにおけるランダムアクセス動作を監視する方法であって、
前記ランダムアクセスには、前記セルにおいて使用されている複数のランダムアクセス・プリアンブル符号（７２１−７２Ｎ）から選択されたランダムアクセス・プリアンブル符号を送信することが含まれており、
前記方法は、
前記セルにおいて使用されている１つ以上のランダムアクセス・プリアンブル符号に関連付けて検出されたランダムアクセスに関係した統計値を評価するステップ（３１１）と、
前記評価のステップ（３１１）において、特定のランダムアクセス・プリアンブル符号に関連付けられたランダムアクセスの検出が、フォールス・ランダムアクセス・プリアンブルの検出に起因した異常動作であることを示している、と決定されると、対応した運用・保守警報信号の出力することと、前記セルにおける前記特定のランダムアクセス・プリアンブル符号のさらなる使用を自動的に防止することの少なくとも一方を開始するステップ（３１３）と
を含むことを特徴とする方法。
【請求項７】
前記統計値は、
請求項１ないし５のいずれか１項に記載された方法によって収集された統計値である
ことを特徴とする請求項６に記載の方法。
【請求項８】
セルラー無線通信ネットワーク（ＮＥＴ１）のセル（Ｃ１）において検出されたランダムアクセスに関係した統計値（２１１，２１２）を収集する、前記セルラー無線通信ネットワーク（ＮＥＴ１）に設けられた装置（ＲＢＳ１）であって、
前記ランダムアクセスには、前記セルにおいて使用されている複数のランダムアクセス・プリアンブル符号（７２１−７２Ｎ）から選択されたランダムアクセス・プリアンブル符号を送信することが含まれており、
前記装置は、
前記セルにおいて使用されている１つ以上のランダムアクセス・プリアンブル符号に関連付けて検出されたランダムアクセスに関係した統計値を、前記ランダムアクセス・プリアンブル符号（７２１−７２Ｎ）ごとに、収集するように構成されたデジタルデータ処理回路（ＣＰ１）
を含むことを特徴とする装置。
【請求項９】
前記セルにおいて使用されている複数のランダムアクセス・プリアンブル符号について、検出されたランダムアクセスに関係した統計値が収集されることを特徴とする請求項８に記載の装置。
【請求項１０】
前記セルにおいて使用されているランダムアクセス・プリアンブル符号ごとに、検出されたランダムアクセスに関係した統計値が収集されることを特徴とする請求項８に記載の装置。
【請求項１１】
セルラー無線通信ネットワーク（ＮＥＴ１）のセルにおけるランダムアクセス動作を監視する、該セルラー無線通信ネットワーク（ＮＥＴ１）に設けられた装置（ＯＭＣ１、ＲＢＳ１）であって、
前記ランダムアクセスには、前記セルにおいて使用されている複数のランダムアクセス・プリアンブル符号（７２１−７２Ｎ）から選択されたランダムアクセス・プリアンブル符号を送信することが含まれており、
前記装置は、
前記セルにおいて使用されている１つ以上のランダムアクセス・プリアンブル符号に関連付けて検出されたランダムアクセスに関係した統計値を評価するように構成されているとともに、
特定のランダムアクセス・プリアンブル符号に関連付けられたランダムアクセスの検出が、フォールス・ランダムアクセス・プリアンブルの検出に起因した異常動作であることを示している、と決定されると、対応した運用・保守警報信号の出力することと、前記セルにおける前記特定のランダムアクセス・プリアンブル符号のさらなる使用を自動的に防止するように構成されたデジタルデータ処理回路（ＣＰ１）
を含むことを特徴とする装置。
【請求項１２】
前記統計値は、
請求項１ないし５のいずれか１項に記載された方法によって収集された統計値である
ことを特徴とする請求項１１に記載の装置。
【請求項１３】
コンピュータ可読記憶媒体に記憶され、かつ、デジタルデータ処理回路（ＣＰ１）によって実行されるコンピュータプログラムであって、
請求項１ないし７のいずれか１項に記載された方法を前記デジタルデータ処理回路（ＣＰ１）に実行させる
ことを特徴とするコンピュータプログラム。
【請求項１４】
セルラー無線通信ネットワークであって、
請求項８ないし１０のいずれか１項に記載された装置と、
請求項１１又は１２に記載された装置と
を含むことを特徴とするセルラー無線通信ネットワーク。
【国際調査報告】
2009500900.tif 000012
2009500900.tif 000013
2009500900.tif 000014
2009500900.tif 000015